(57)【特許請求の範囲】
【請求項１】
縦フレームと横フレームとから組み上げられたフレーム脚部の上端にキッチンカウンターが取り付けられて形成されるフレーム型厨房装置において、キッチンカウンターの裏面側の四隅に取り付けられる縦フレームの前後方向の中間に中間フレームが縦方向に配設され、キッチンカウンターの裏面側に中間フレームと係合する取付部材が設けられていることを特徴とするフレーム型厨房装置。
【請求項２】
取付部材は、側面が略コ字型の形状を有し、長片と短片を備え、長片と短片のそれぞれの下端部が内側に斜めに傾斜するテーパー形状となっている請求項１記載のフレーム型厨房装置。
【請求項３】
短片の下端部が長片側に折曲している請求項２記載のフレーム型厨房装置。
【請求項４】
キッチンカウンターの裏面側に取付部材を固着しておき、縦フレームと横フレームから組み上げられ、キッチンカウンターの裏面側の四隅に取り付けられる縦フレームの前後方向の中間に中間フレームが縦方向に配設されたフレーム脚部の上端にキッチンカウンターを上乗せし、中間フレームの内部に取付部材を挿入して係合させた後、固着具によって中間フレームを取付部材に固定することを特徴とするフレーム型厨房装置の組立方法。
【発明の詳細な説明】
【技術分野】
【０００１】
本願発明は、縦フレームと横フレームとから組み上げられたフレーム脚部の上端にキッチンカウンターが取り付けられて形成されるフレーム型厨房装置とその組立方法に関する。
【背景技術】
【０００２】
厨房装置の一つとして、躯体部がアルミ製等の中空なフレームから形成されたフレーム脚部からなるフレーム型厨房装置が知られている（特許文献１）。
【０００３】
フレーム脚部は、高さ方向に配置される縦フレームと奥行方向および横幅方向に配置される横フレームが連結されて組み上げられるものであり、このフレーム脚部の上端にキッチンカウンターが固定されてフレーム型厨房装置が形成される。
【特許文献１】特開２００４−２２３００６号公報
【発明の開示】
【発明が解決しようとする課題】
【０００４】
フレーム型厨房装置の組立に際しては、キッチンカウンターを、天面を下に裏返して配置し、キッチンカウンターの裏面の所要箇所に、前後２本の縦フレームの下部を横フレームで連結して形成したフレームユニットを取り付け、各フレームユニットにキッチンカウンターの横幅方向にのびる補強フレームを取り付ける。そして、このようにして組み立てたフレーム型厨房装置を反転させて起こしている。
【０００５】
しかしながら、組立後のフレーム型厨房装置は横長であり、重量物であるため、最後の反転作業は、フレーム型厨房装置を組み立てる作業者にかなり負担の大きなものとなっている。
【０００６】
また、フレーム型厨房装置は躯体部がフレーム脚部からなるため、剛性が必ずしも十分でなく、自立性に欠ける面がある。そこで、一般には、壁に固定し、強度を確保するようにしている。一方、最近、フレーム型厨房装置についてもダイニング・キッチンの境界部にアイランド状に配置したいというニーズが高まっている。
【０００７】
本願発明は、このような事情に鑑みてなされたものであり、組立性を改善し、アイランド状の配置を可能とするフレーム型厨房装置とその組立方法を提供することを課題としている。
【課題を解決するための手段】
【０００８】
本願発明は、上記の課題を解決するために、第１に、縦フレームと横フレームとから組み上げられたフレーム脚部の上端にキッチンカウンターが取り付けられて形成されるフレーム型厨房装置において、キッチンカウンターの裏面側の四隅に取り付けられる縦フレームの前後方向の中間に中間フレームが縦方向に配設され、キッチンカウンターの裏面側に中間フレームと係合する取付部材が設けられていることを特徴としている。
【０００９】
本願発明は、第２に、取付部材は、側面が略コ字型の形状を有し、長片と短片を備え、長片と短片のそれぞれの下端部が内側に斜めに傾斜するテーパー形状となっていることを特徴としている。
【００１０】
本願発明は、第３に、短片の下端部が長片側に折曲していることを特徴としている。
【００１１】
本願発明は、第４に、キッチンカウンターの裏面側に取付部材を固着しておき、縦フレームと横フレームから組み上げられ、キッチンカウンターの裏面側の四隅に取り付けられる縦フレームの前後方向の中間に中間フレームが縦方向に配設されたフレーム脚部の上端にキッチンカウンターを上乗せし、中間フレームの内部に取付部材を挿入して係合させた後、固着具によって中間フレームを取付部材に固定することを特徴としている。
【発明の効果】
【００１２】
本願の第１の発明によれば、フレーム脚部において、キッチンカウンターの裏面側の四隅に取り付けられる縦フレームの前後方向の中間に中間フレームが縦方向に配設されるので、フレーム型厨房装置の強度を高めるのに有効となる。中間フレームの配設自体によってフレーム脚部の剛性が高まるばかりでなく、フレーム脚部の左右両端に配置される中間フレーム間にパネルを架設することができ、このパネルの架設によってフレーム型厨房装置の強度が高まる。さらに、中間フレームと縦フレームとの間にもパネルを配設することができ、フレーム型厨房装置の強度は一層高まる。自立性の高いアイランド状の配置が可能なフレーム型厨房装置が実現される。このような中間フレームは、キッチンカウンターの裏面側に配設された取付部材に係合させてキッチンカウンターに取り付けることができ、取付けが容易である。中間フレームは、また、キッチンカウンターの下方に形成されるスペースに引出しを設ける際の足がかりともなる。
【００１３】
本願の第２の発明によれば、中間フレームを取付部材に係合させる際に、長片がガイドとなって取付部材を中間フレームの内部に挿入することができ、挿入の目標位置が明確となる。中間フレームを取付部材に容易に係合させることができる。また、長片および短片の下端部が内側に傾斜するテーパー形状となっているため、キッチンカウンターをフレーム脚部に上乗せする際の水平度に許容範囲を取ることができ、キッチンカウンターの上乗せによるフレーム脚部への取付けが容易となる。
【００１４】
本願の第３の発明によれば、短片の下端部が長片側に折曲しているので、取付部材の中間フレームの内部への挿入がさらに容易となる。
【００１５】
本願の第４の発明によれば、キッチンカウンターをフレーム脚部に上乗せ式で取り付けることができ、従来最終作業となっていたフレーム型厨房装置の反転作業が解消され、作業者の負担が軽減される。フレーム型厨房装置の組立性が向上する。
【発明を実施するための最良の形態】
【００１６】
図１は、本願発明のフレーム型厨房装置の一実施形態を示した側面図である。
【００１７】
キッチンカウンター１の左右両端部に取り付けられるエンドフレームユニット２は、所要間隔で前後に配置された２本の縦フレーム３を下部においてキッチンカウンター１の奥行方向にのびる横フレーム４で連結して形成されている。エンドフレームユニット２には、縦フレーム３の前後方向の中間に配置され、縦方向にのびる中間フレーム５が配設されている。中間フレーム５は中空の部材であり、下端部において横フレーム４に連結されている。
【００１８】
キッチンカウンター１には、裏面側の所要位置に、中間フレーム５を取り付けるための取付部材６が固着されている。図２（ａ）（ｂ）は、それぞれ、取付部材の詳細を示した正面図、側面図である。
【００１９】
図１および図２（ｂ）に示したように、取付部材６は、中空の中間フレーム５の内部に挿入、係合可能で側面が略コ字型の形状を有する部材であり、長片７と短片８を備えている。長片７、短片８はともに、図２（ａ）に示したように、下端両側部に内側に傾斜するテーパー部９を有している。短片８は、さらに、図２（ｂ）に示したように、下端部に長片７側に折曲する折曲部１０を有している。このような取付部材６が、図１に示した中間フレーム５の内部に挿入され、中間フレーム５の上端部において係合し、ねじ止めされて中間フレーム５がキッチンカウンター１に取り付けられる。長片７および短片８には、図２（ａ）（ｂ）に示したように、タップの切られたねじ穴１１が形成されている。
【００２０】
また、取付部材６では、長片７と短片８を連結する連結片１２にねじ挿入穴１３が前後左右に４箇所設けられている。ねじ挿入穴１３を通じてねじを連結片１２の裏側からキッチンカウンター１の裏面に向けてねじ込むことにより、取付部材６がキッチンカウンター１の裏面側に固着される。取付部材６の配設はねじにより行われるばかりでなく、キッチンカウンター１の裏面側に溶接したり、キッチンカウンター１の成形時に一体に設けたりすることもできる。いずれの場合も、取付部材６は、フレーム型厨房装置を組み立てる前にあらかじめキッチンカウンター１の裏面側の所要位置に配設しておく。
【００２１】
以上の取付部材６は、中間フレーム５の横フレーム４への連結にも用いることができる。取付部材６を横フレーム４の上面の所要位置にねじを用いて固着するなどして設けておき、中間フレーム５と係合させ、固定する。
【００２２】
フレーム型厨房装置を組み立てる際には、まず、キッチンカウンター１を、天面を下にして裏返し、所要箇所に取付部材６をねじにより固着する。
【００２３】
フレーム脚部については、図３に示したように、図１に示した中間フレーム５が配設されたエンドフレームユニット２を左右両端に配置し、各エンドフレームユニット２の横フレーム４間に補強フレーム１４を架設する。次いで、図４に示したように、所要間隔で前後に配置された２本の縦フレーム３を下部において横フレーム４で連結して形成されたパーティションフレームユニット１５をエンドフレームユニット２の間に所要数平行に配置し、横フレーム４において補強フレーム１４に連結し、フレーム脚部１６を形成する。
【００２４】
なお、フレーム脚部１６において、エンドフレームユニット２に配設された中間フレーム５とパーティションフレームユニット１５の後側に配置された縦フレーム３とは、フレーム脚部１６の横方向に一直線上に配置されるように設計されている。
【００２５】
このようにして形成したフレーム脚部１６の上端に図１に示したキッチンカウンター１を取り付ける。その際には、図５に示したように、フレーム脚部１６の上端に、取付部材６が裏面側に固着されたキッチンカウンター１を表に返して上乗せする。この時、取付部材６は、図６に示したように、中間フレーム５の内部に挿入される。
【００２６】
取付部材６は長片７を備えているので、長片７が中間フレーム５の内側面に接触し、中間フレーム５の内部への挿入をガイドする。中間フレーム５の内部への挿入の目標位置が明確となり、取付部材６と中間フレーム５を容易に係合させることができる。キッチンカウンター１をフレーム脚部１６に上乗せする際には水平に降ろす必要があるが、取付部材６の長片７および短片８は下端部にテーパー部９を有しているため、水平度に許容範囲を取ることができ、キッチンカウンター１のフレーム脚部１６への上乗せが容易となっている。したがって、エンドフレームユニット２に配設された中間フレーム５のキッチンカウンター１への取付けが簡便となっている。取付部材６と中間フレーム５が係合した後は、中間フレーム５の側方から横向きにねじ１７をねじ込み、固定する。
【００２７】
また、取付部材６は、短片８の下端部に長片７側に折曲する折曲部１０を有しているので、取付部材６の中間フレーム５の内部への挿入がさらに容易となっている。
【００２８】
このように、フレーム型厨房装置を組み立てる際に、キッチンカウンター１をフレーム脚部１６に上乗せ式で取り付けることができ、従来最終作業となっていたフレーム型厨房装置の反転作業が解消され、作業者の負担が軽減される。フレーム型厨房装置の組立性が向上する。特にキッチンカウンター１の前後幅が広いフレーム型厨房装置に有効である。
【００２９】
エンドフレームユニット２に中間フレーム５を配設することにより、フレーム脚部１６自体の剛性が高まるが、中間フレーム５を基にしてさらにフレーム型厨房装置の強度を高め、自立性のあるものとすることができる。
【００３０】
図７に示したように、左右両端に配置されたエンドフレームユニット２の中間フレーム５間にパネル１８を架設する。図４に示したように、中間フレーム５は、パーティションフレームユニット１５の後側の縦フレーム３と一直線上に並んでいるため、図８に示したように、パネル１８はパーティションフレームユニット１５の後側の縦フレーム３に背面側で固定することができる。このようにしてエンドフレームユニット２の中間フレーム５間に架設されるパネル１８によって、フレーム型厨房装置の強度は高まる。同時に、パネル１８は、図７に示したように、調理側とその対面側との仕切りとなり、目隠しとして機能をすることができる。フレーム型厨房装置に取り付けられるシンクや引出しなどは対面側から見えない。フレーム型厨房装置をアイランド状に配置する時の見栄えを向上させることができる。
【００３１】
また、図９に示したように、左右両端のエンドフレームユニット２においては、縦フレーム３と中間フレーム５との間にパネル１９を嵌め込み等によって配設することができる。パネル１９の配設によりフレーム型厨房装置の強度は高まるとともに、側方の目隠しとなり、見栄えがさらに向上する。パネル１９の配設は、一般に、図７に示したパネル１８の配設後に行われる。
【００３２】
そして、中間フレーム５の配設は、キッチンカウンター１の下方に引出しを設ける際の足がかりともなる。図１０に示したように、レール２０をフレーム型厨房装置の奥行方向に配設することができ、キッチンカウンター１の下方に形成されるスペースに引出し２１を出し入れ自在に設けることができる。引出し２１の施工は、フレーム型厨房装置の組立の最終工程で行われる。
【００３３】
こうして、図１１に示したように、引出し２１を備え、自立性のあるアイランド状の配置が可能なフレーム型厨房装置が実現される。なお、引出し２１は必要に応じて適宜設けられるものであり、設置の有無、設置する箇所などは任意に選択可能である。
【図面の簡単な説明】
【００３４】
【図１】本願発明のフレーム型厨房装置の一実施形態を示した側面図である。
【図２】（ａ）（ｂ）は、それぞれ、取付部材の詳細を示した正面図、側面図である。
【図３】フレーム型厨房装置の組立の一工程を示した斜視図である。
【図４】フレーム型厨房装置の組立の一工程を示した斜視図である。
【図５】フレーム型厨房装置の組立の一工程を示した斜視図である。
【図６】図５に示した組立工程の詳細を示した要部斜視図である。
【図７】フレーム型厨房装置の組立の一工程を示した斜視図である。
【図８】図８に示した組立工程の詳細を示した要部斜視図である。
【図９】フレーム型厨房装置の組立の一工程を示した斜視図である。
【図１０】引出しの施工について示した要部斜視図である。
【図１１】一連の工程により組み立てられたフレーム型厨房装置の一形態を示した斜視図である。
【符号の説明】
【００３５】
１    キッチンカウンター
２    エンドフレームユニット
３    縦フレーム
４    横フレーム
５    中間フレーム
６    取付部材
７    長片
８    短片
９    テーパー部
１０    折曲部
１１    ねじ穴
１２    連結片
１３    ねじ挿入穴
１４    補強フレーム
１５    パーティションフレームユニット
１６    フレーム脚部
１７    ねじ
１８    パネル
１９    パネル
２０    レール
２１    引出し
【図１】
0004534953.tif 000002
【図２】
0004534953.tif 000003
【図３】
0004534953.tif 000004
【図４】
0004534953.tif 000005
【図７】
0004534953.tif 000006
【図１１】
0004534953.tif 000007
【図５】
0004534953.tif 000008
【図６】
0004534953.tif 000009
【図８】
0004534953.tif 000010
【図９】
0004534953.tif 000011
【図１０】
0004534953.tif 000012